(57)【要約】【課題】  従来の、複数のハンガーを上下に吊り下げて連結可能とするハンガーにおいては、副フックが掛け部の長手方向と直交する方向に大きく突出していたので、搬送時や保管時にハンガーを箱等に隙間なく収納することができず、収納効率が低くなって、ハンガーの搬送や保管を行うのに多くのスペースを要することとなっていた。【解決手段】  衣類等が掛けられる掛け部２と、該掛け部２を支持して吊るすためのフック部３とを備える副フック付きハンガー１であって、該フック部３は、前記副フック付きハンガー１を収納スペースに吊リ下げるための主フック３１と、他の副フック付きハンガー１を吊り掛けるための副フック３２とを備え、該副フック３２は、前記主フック３１に対して回動自在に取り付けられる。【選択図】  図１
2008043614.tif 000002
【特許請求の範囲】
【請求項１】
衣類等が掛けられる掛け部と、該掛け部を支持して吊るすためのフック部とを備えるハンガーであって、
該フック部は、前記ハンガーを収納スペースに吊リ下げるための主フックと、他のハンガーを吊り掛けるための副フックとを備え、
該副フックは、前記主フックに対して回動自在に取り付けられる、
ことを特徴とする副フック付きハンガー。
【請求項２】
前記副フックは、主フックから水平方向へ突出するとともに、前記掛け部に対して水平方向に回動自在であり、
前記フック部または掛け部には、副フックの掛け部に対する回動位置を固定する固定具が設けられる、
ことを特徴とする請求項１に記載の副フック付きハンガー。
【請求項３】
前記固定具は、少なくとも、前記副フックの長手方向が前記掛け部の長手方向と略平行な方向に位置している状態で、該副フックの回動位置を固定する、
ことを特徴とする請求項２に記載の副フック付きハンガー。
【請求項４】
前記固定具は、少なくとも、前記副フックの長手方向が前記掛け部の長手方向と略直交する方向に位置している状態で、該副フックの回動位置を固定する、
ことを特徴とする請求項２または請求項３に記載の副フック付きハンガー。
【発明の詳細な説明】
【技術分野】
【０００１】
本発明は、ハンガーを吊り下げるための主フックに加えて、他のハンガーを吊り掛けるための副フックを備えた副フック付きハンガーに関する。
【背景技術】
【０００２】
一般的に、衣類等を掛けるハンガーは、衣類等が掛けられる掛け部と、該掛け部を支持して吊るすためのフック部とを備えており、該掛け部に衣類等を掛けた状態で、前記フック部をタンス内に設けられるハンガー掛けフックや部屋の壁面から突出するハンガー掛けフックに掛け吊るすことで、衣類等の収納が行われている。
【０００３】
このように、ハンガー掛けフックにハンガーをかけて衣類等を収納する場合、タンス内のハンガー掛けフックは長さに限りがあり、あまり多くの衣類等を収納することができなかった。特に、ハンガーに掛けられる部分である衣類の肩部分は厚みがあってかさばるため、ハンガーをハンガー掛けフックに限界まで掛けた場合でも、タンスの下部には利用できる空間が残っていることとなっていた。
また、ハンガー掛けフックを壁面に設けた場合、該ハンガー掛けフックは壁面から突出する長さをあまり長くできないため、１本のハンガー掛けフックに多くのハンガーを掛けることができない。
従って、収納量を多くするためには壁面に設けるハンガー掛けフックの数を増やす必要があるが、ハンガー掛けフックの数が多くなると、該フックが設けられた壁面が衣類等で覆いつくされることとなって、部屋の美観を損ねることとなってしまい好ましくない。
【０００４】
そこで、従来においては、狭いスペースで多くの衣類等を収納するために、複数のハンガーを上下に吊り下げて連結可能とするハンガーが考案されている。
例えば、特許文献１に示すように、一方のハンガーのフック部に、衣類等が掛けられる掛け部の長手方向と直交する方向に突出する凹みを副フックとして形成し、該フック部の凹みを、他方のハンガーのフック部に引っ掛けることにより、複数のハンガーを上下に連続的に吊り下げることができるように構成したハンガーが考案されている。
【特許文献１】特開２００５−２７０５８７号公報
【発明の開示】
【発明が解決しようとする課題】
【０００５】
前述の特許文献１に記載されるように、一方のハンガーのフック部に形成した副フックとしての凹みを、他方のハンガーのフック部に引っ掛けて、複数のハンガーを上下に吊り下げるように構成した場合、上方のハンガーに掛けられた衣類等と、下方のハンガーに掛けられた衣類等とが、厚み方向（掛け部の長手方向と直交する方向＝フック部の凹みの深さ方向）で干渉しないように、フック部の凹みの深さ寸法が設定されていたので、該凹みが、掛け部から該掛け部の厚み方向に大きく飛び出すこととなっていた。
【０００６】
ここで、衣類等が掛けられるハンガーは、家庭で使用されるほか、衣類等の生産工場や、衣類等を取り扱う問屋や小売店等で大量に使用され、またハンガー自体の生産工場、問屋および小売店等でも多くのハンガーが取り扱われるため、例えば生産工場〜問屋間、および問屋〜小売店間で大量のハンガーが輸送されることがある。
また、生産工場や問屋や小売店等では、ある程度まとまった数のハンガーを在庫として保管しておくことが好ましい。
【０００７】
このように、ハンガーを輸送する場合や保管する場合は、該ハンガーが占有するスペースを少しでも小さく抑えたいが、前述のように掛け部の厚み方向に大きく飛び出す凹みが形成されたハンガーは、複数重ね合わせた場合にあるハンガーの凹みが他のハンガーに干渉するため、搬送用や保管用の箱等に隙間なく収納することができず、収納効率が低くなって、ハンガーの搬送や保管を行うのに多くのスペースを要することとなっていた。
【０００８】
そこで、本発明においては、複数のハンガーを干渉させることなく上下に吊り下げることができるとともに、ハンガーの搬送や保管時においても該ハンガーの収納効率を高めることができる副フック付きハンガーを提供するものである。
【課題を解決するための手段】
【０００９】
上記課題を解決する副フック付きハンガーは、以下の特徴を有する。
即ち、請求項１記載の如く、衣類等が掛けられる掛け部と、該掛け部を支持して吊るすためのフック部とを備えるハンガーであって、該フック部は、前記ハンガーを収納スペースに吊リ下げるための主フックと、他のハンガーを吊り掛けるための副フックとを備え、該副フックは、前記主フックに対して回動自在に取り付けられる。
これにより、副フックを掛け部の長手方向に対して略直交する方向へ回動させた姿勢として、複数の副フック付きハンガーを互いに干渉させることなく上下に吊り下げることを可能としつつ、副フックを掛け部の長手方向と略平行な方向へ回動させた姿勢として、該副フック付きハンガーを隙間なく重ねた状態で箱等に収納することが可能となる。
従って、副フック付きハンガーの収納効率を高めて、ハンガーの搬送や保管を行う際に要するスペースを小さくすることができる。
【００１０】
また、請求項２記載の如く、前記副フックは、主フックから水平方向へ突出するとともに、前記掛け部に対して水平方向に回動自在であり、前記フック部または掛け部には、副フックの掛け部に対する回動位置を固定する固定具が設けられる。
これにより、該固定具により、副フックの回動位置を固定し、その回動位置での姿勢を安定して保持することが可能となる。
【００１１】
また、請求項３記載の如く、前記固定具は、少なくとも、前記副フックの長手方向が前記掛け部の長手方向と略平行な方向に位置している状態で、該副フックの回動位置を固定する。
これにより、隙間なく重ねて箱詰め等した複数の副フック付きハンガーを保管・搬送等する際に、各副フック付きハンガーの副フックが任意に回動して絡まってしまうことを抑えることができる。
【００１２】
また、請求項４記載の如く、前記固定具は、少なくとも、前記副フックの長手方向が前記掛け部の長手方向と略直交する方向に位置している状態で、該副フックの回動位置を固定する。
これにより、衣類等を掛けた複数の副フック付きハンガーを上下に吊り下げた際に、副フックの回動位置を安定的に保持することができ、衣類等を整然と収納することができる。
【発明の効果】
【００１３】
本発明によれば、副フックを掛け部の長手方向に対して略直交する方向へ回動させた姿勢として複数の副フック付きハンガーを互いに干渉させることなく上下に吊り下げることを可能としつつ、副フックを掛け部の長手方向と略平行な方向へ回動させた姿勢として、該副フック付きハンガーを隙間なく重ねた状態で箱等に収納することが可能となる。
これにより、副フック付きハンガーの収納効率を高めて、ハンガーの搬送や保管を行う際に要するスペースを小さくすることができる。
【発明を実施するための最良の形態】
【００１４】
次に、本発明を実施するための形態を、添付の図面を用いて説明する。
【００１５】
図１には、本発明にかかる副フック付きハンガーの実施形態の一例を示している。
図１に示す副フック付きハンガー１は、衣類等が掛けられる掛け部２と、該掛け部２を支持して吊るすためのフック部３とを備えている。
【００１６】
該フック部３は、例えば収納スペースの壁面から水平方向に突出するハンガー掛けフック５に、前記副フック付きハンガー１を吊り下げるための主フック３１と、該主フック３１に取り付けられ、他の副フック付きハンガー１を吊り掛けるための副フック３２とを備えている。
【００１７】
前記主フック３１は、掛け部２に接続され、該掛け部２を支持する支持杆３１ｂと、該支持杆３１ｂの上端部に形成され、前記ハンガー掛けフック５に吊り下げられる吊りフック部３１ａとを備えている。
【００１８】
図２に示すように、前記支持杆３１ｂは、掛け部２の平面視略中央部における上端側から下端側に向けて貫通しており、該掛け部２の下端側から突出した支持杆３１ｂの下端部には抜け止めピン３６を挿入して、支持杆３１ｂが掛け部２から抜け出ることを防いでいる。
【００１９】
また、前記副フック３２は、他の副フック付きハンガー１が吊り掛けられる吊り掛けフック部３２ａと、該吊り掛けフック部３２ａから延出する支持杆３２ｂと、該支持杆３２ｂの先端部に固定される支持部３２ｃとを備えている。
該支持部３２ｃは円筒形部材にて構成されており、前記支持杆３１ｂの途中部（掛け部２と吊りフック部３１ａとの間）に、上下方向へスライド自在に、および水平方向へ回動自在に嵌挿されている。
【００２０】
前記支持部３２ｃの下方における主フック３１の支持杆３１ｂには、支持ピン３７が挿入されており、該支持ピン３７により支持部３２ｃがそれ以上下方へスライドしないように係止されている。
【００２１】
図３に示すように、副フック３２の支持部３２ｃが、主フック３１の支持杆３１ｂに対して水平方向へ回動自在に取り付けられることにより、該副フック３２ｃは主フック３１に対して回動自在となっている。
【００２２】
なお、前記主フック３１の吊りフック部３１ａおよび支持杆３１ｂ、並びに前記副フック３２の吊り掛けフック部３２ａおよび支持杆３２ｂは、例えば、それぞれ適宜太さおよび剛性を有する１本の金属製等の棒状部材または線状部材を屈曲成形することで形成されている。
【００２３】
前述のごとく構成される副フック付きハンガー１は、複数のハンガーを上下に連続的に吊り下げることができるように構成されている。
すなわち、図１、図４に示すように、最も上方に位置する副フック付きハンガー１における主フック３１の吊りフック部３１ａをハンガー掛けフック５に吊り下げ、該副フック付きハンガー１における副フック３２の吊り掛けフック部３２ａに、１段下方に位置する（上方から２段目の）副フック付きハンガー１における主フック３１の吊りフック部３１ａを吊り掛ける。
【００２４】
同様に、上方から２段目の副フック付きハンガー１における副フック３２の吊り掛けフック部３２ａには、上方から３段目の副フック付きハンガー１における主フック３１の吊りフック部３１ａが吊り掛けられている。
なお、複数のハンガーを上下に吊り下げる場合、副フック付きハンガー１の副フック３２は、掛け部２の長手方向と略直交する方向へ回動された状態とされる。
【００２５】
このように、上方に位置する一方の副フック付きハンガー１の副フック３２における吊り掛けフック部３２ａに、下方に位置する他方の副フック付きハンガー１の主フック３１における吊りフック部３１ａを吊り掛けることで、複数のハンガーを上下に連続的に吊り下げることが可能となっている。
【００２６】
従って、図４に示すように、コートやスーツ等の衣類Ｃが掛けられた状態の副フック付きハンガー１を上下に連続的に吊り下げることで、タンス内や、壁面にハンガー掛けフック５が設けられた収納スペースにおける縦方向の空間を有効に利用して、狭いスペースに多くの衣類Ｃを収納することが可能となる。
【００２７】
また、図５に示すように、前記主フック３１の長さ寸法Ｌ１は、副フック付きハンガー１を上下に吊り下げた際に、隣接する上下の副フック付きハンガー１が上下方向で干渉しない位置に位置するような長さに設定されている。
また、前記副フック３２の長さ寸法Ｌ２は、各副フック付きハンガー１に吊り掛けられた衣類Ｃが厚み方向に過度に干渉しない程度の長さ寸法Ｌ２に設定されている。
【００２８】
ここで、一般的に行われているように、複数のハンガーを同じ高さで掛け吊した場合、厚み方向においては、１つのハンガーにつき該ハンガーの厚みと衣類の肩部の厚みとを占有するため、隣り合うハンガー同士が厚み方向に干渉しないように吊り下げようとすると、厚み方向に多くのスペースを要することとなる。
これに対し、前述のように複数のハンガーを上下に吊り下げた場合は、上方のハンガーと下方のハンガーとが厚み方向で干渉しないため、上下のハンガーは、厚み方向において上下の衣類同士のみが過度に干渉しないだけの寸法を離して配置すればよく、複数のハンガーを吊りかけた場合に要する厚み方向のスペースを小さくすることができる。
さらに、空きがちな下部の空間を有効に利用することができる。
【００２９】
また、本副フック付きハンガー１においては、副フック３２が主フック３１に対して回動自在に取り付けられているため、例えば、複数の副フック付きハンガー１を上下に吊り下げるときには、副フック３２を掛け部２の長手方向に対して略直交する方向へ回動させた姿勢とし、該副フック付きハンガー１を保管や搬送するとき、または１本の副フック付きハンガー１を単独で使用するとき等には、図６に示すように、副フック３２を掛け部２の長手方向と略平行な方向へ回動させた姿勢とすることができる。
【００３０】
このように、副フック付きハンガー１を保管や搬送するときに、副フック３２を掛け部２の長手方向と略平行な方向へ回動させることで、該副フック付きハンガー１を隙間なく重ねた状態で箱等に収納することができ、収納効率を高めて、ハンガーの搬送や保管を行う際に要するスペースを小さくすることができる。
【００３１】
また、副フック付きハンガー１の副フック３２は、次のように構成することもできる。
つまり、図７に示すように、副フック３２における支持部３２ｃの下端部に、切欠部３２ｄを形成することができる。
該切欠部３２ｄは前記支持部３２ｃの下端部に単数または複数形成されており、その切欠幅が前記支持ピン３７の太さよりも若干大きく形成されていて、該支持ピン３７と係合可能に構成されている。
【００３２】
例えば、図８に示す副フック付きハンガー１においては、前記切欠部３２ｄとして、副フック３２が掛け部２の長手方向と略平行な回動方向に位置しているときに支持ピン３７と係合する第１の切欠部３２ｄａ・３２ｄａと、副フック３２が掛け部２の長手方向に対して略直交する方向に位置しているときに支持ピン３７と係合する第２の切欠部３２ｄｂ・３２ｄｂとが形成されている。
【００３３】
これらの切欠部３２ｄにより、副フック３２を掛け部２の長手方向に対して略直交する方向へ回動させた姿勢として、複数の副フック付きハンガー１を上下に吊り下げるときには、支持ピン３７と第２の切欠部３２ｄｂ・３２ｄｂとを係合させ、副フック３２を掛け部２の長手方向と略平行な方向へ回動させた姿勢として、該副フック付きハンガー１の保管や搬送等を行うときには、支持ピン３７と第１の切欠部３２ｄａ・３２ｄａとを係合させて、副フック３２の回動位置を固定し、それぞれの回動位置での姿勢を安定して保持することができる。
このように、副フック付きハンガー１のフック部３においては、副フック３２の掛け部２に対する回動位置を固定する固定具が、支持ピン３７と切欠部３２ｄとで構成されている。
【００３４】
これにより、副フック３２の各回動位置での姿勢を安定的に保持することができ、例えば支持ピン３７と第２の切欠部３２ｄｂ・３２ｄｂとを係合させたときには、衣類等を掛けた複数の副フック付きハンガー１を上下に吊り下げた際に、衣類等を整然と収納することができる。
また、支持ピン３７と第１の切欠部３２ｄａ・３２ｄａとを係合させたときには、隙間なく重ねて箱詰め等した複数の副フック付きハンガー１を保管・搬送等する際に、各副フック付きハンガー１の副フック３２が任意に回動して絡まってしまうことを抑えることができる。
【００３５】
なお、本例の場合、支持ピン３７が主フック３１の支持杆３１ｂの両側に突出しているため、前記切欠部３２ｄａ・３２ｄａおよび切欠部３２ｄｂ・３２ｄｂは、その両側の突出する部分と係合するべく、それぞれ支持部３２ｃにおける支持ピン３７の両側の突出部に対応した２箇所の位置に形成されているが、支持ピン３７が一側にのみ突出している場合は、該切欠部３２ｄａおよび切欠部３２ｄｂは、それぞれ支持ピン３７の突出部分に対応した一箇所にのみ形成すればよい。
【００３６】
また、本例では、副フック３２を掛け部２の長手方向に対して略直交する方向へ回動させた位置に固定する第２の切欠部３２ｄｂ・３２ｄｂと、副フック３２を掛け部２の長手方向と略平行な方向へ回動させた位置に固定する切欠部３２ｄａ・３２ｄａとを形成しているが、何れか一方のみを形成することもできる。
さらに、副フック３２を他の方向（掛け部２の長手方向に対して略直交する方向、および略平行な方向以外の方向）に固定する切欠部３２ｄを形成することもできる。
【００３７】
また、本例では、切欠部３２ｄは逆Ｕの字形状に形成されているが、それ以外の形状に形成することもでき、支持ピン３７と係合可能な形状であればよい。
例えば、図９に示すように、支持部３２ｃの下端部に鋸刃状の凹凸３２ｅを形成して、その凹凸３２ｅを支持ピン３７と係合する切欠部として用いることもできる。
この場合、形成される凹凸の数に応じた位置で、副フック３２の回動位置を固定することができる。
【００３８】
また、本例では、副フック３２の掛け部２に対する回動位置を固定する固定具を、支持ピン３７と切欠部３２ｄとで構成しているが、これに限るものではなく他の構成によるものでもよい。
つまり、副フック３２の回動位置を、掛け部２に対する適宜位置で固定することができるものであれば、副フック付きハンガー１のフック部３に設けられる固定具として用いることができる。
【００３９】
また、副フック付きハンガー１の副フック３２は、次のように構成することもできる。
つまり、図１０に示すように、副フック３２を、適宜太さおよび剛性を有する１本の金属製等の棒状部材または線状部材を屈曲成形することで形成することができる。
この場合、フック部３２ａおよび支持杆３２ｂは、前述の図１等に示した副フック付きハンガー１と同様に形成されており、支持部３２ｃは、支持杆３２ｂから延びる棒状部材または線状部材がコイル状に屈曲されて、主フック３１の支持杆３１ｂに巻き付けられている。
なお、支持部３２ｃは、副フック３２が主フックに対して回動自在となるように、且つ上下に摺動可能なように巻き付けられている。
【００４０】
本例においては、掛け部２に副フック位置決め穴２ｄ・２ｄが形成されており、該副フック位置決め穴２ｄには、前記副フック３２における支持部３２ｃの下端が挿脱自在に挿入可能となっている。
該副フック位置決め穴２ｄに支持部３２ｃの下端を挿入することで、副フック３２の回動位置を固定することが可能となっている。
【００４１】
そして、副フック位置決め穴２ｄを複数箇所に形成することで、副フック３２を複数の回動位置で固定することが可能となる。
本例の場合、副フック３２が、掛け部２の長手方向に対して略直交する方向へ回動させた姿勢となる位置、および掛け部２の長手方向と略平行な方向へ回動させた姿勢となる位置で固定されるような箇所に副フック位置決め穴２ｄを形成している。
なお、副フック位置決め穴２ｄは、これらの箇所および数に限らず、他の箇所におよび数だけ形成することもできる。
【００４２】
また、副フック付きハンガー１の副フック３２は、次のように構成することもできる。
つまり、図１１に示すように、副フック３２を、適宜太さおよび剛性を有する１本の金属製等の棒状部材または線状部材を屈曲成形することで形成することができる。
この場合、棒状部材または線状部材の略中間部分にフック部３２ａが形成され、棒状部材または線状部材の両端部分にコイル状に屈曲された支持部３２ｃが形成され、フック部３２ａと支持部３２ｃとの間に支持杆３２ｂが形成されている。
【００４３】
本例の場合も、両支持部３２ｃ・３２ｃは、副フック３２が主フックに対して回動自在となるように、且つ上下に摺動可能なように支持杆３１ｂに巻き付けられている。
また、掛け部２に副フック位置決め穴２ｄ・２ｄが形成されており、該副フック位置決め穴２ｄには、前記副フック３２における下方の支持部３２ｃの下端が挿脱自在に挿入可能となっている。
該副フック位置決め穴２ｄに前記支持部３２ｃの下端を挿入することで、副フック３２の回動位置を固定することが可能となっている。
【００４４】
そして、副フック位置決め穴２ｄを複数箇所に形成することで、副フック３２を複数の回動位置で固定することが可能となっている。
本例の場合も、副フック３２が、掛け部２の長手方向に対して略直交する方向へ回動させた姿勢となる位置、および掛け部２の長手方向と略平行な方向へ回動させた姿勢となる位置で固定されるような箇所に副フック位置決め穴２ｄを形成している。
なお、副フック位置決め穴２ｄは、これらの箇所および数に限らず、他の箇所におよび数だけ形成することもできる。
【図面の簡単な説明】
【００４５】
【図１】副フック付きハンガーを示す斜視図である。
【図２】副フック付きハンガーを示す部分正面図である。
【図３】副フックの回動可能な様子を示す平面図である。
【図４】衣類を掛けた複数の副フック付きハンガーを上下に吊り下げた状態を示す斜視図である。
【図５】主フックの長さ寸法および副フックの長さ寸法を示す側面図である。
【図６】副フックを掛け部の長手方向と略平行な方向へ回動させた状態の副フック付きハンガーを示す斜視図である。
【図７】副フックの支持部に支持ピンと係合する切欠部を形成した副フック付きハンガーを示す部分正面図である。
【図８】支持ピンと切欠部との係合状態を示す下面図である。
【図９】切欠部として鋸刃状の凹凸を形成した副フックの支持部を示す正面図である。
【図１０】副フックを棒状部材または線状部材を屈曲することで形成し、該副フックの支持部をコイル状に屈曲して支持杆に巻き付けた構成の副フック付きハンガーの第一例を示す斜視図である。
【図１１】副フックを棒状部材または線状部材を屈曲することで形成し、該副フックの支持部をコイル状に屈曲して支持杆に巻き付けた構成の副フック付きハンガーの第二例を示す斜視図である。
【符号の説明】
【００４６】
Ｃ    衣類
１    副フック付きハンガー
２    掛け部
３    フック部
５    ハンガー掛けフック
３１    主フック
３１ａ  吊りフック部
３１ｂ  支持杆
３２    副フック
３２ａ  吊り掛けフック部
３２ｂ  副フック
３２ｃ  支持部
３２ｄ  切欠部
３７    支持ピン
【図１】
2008043614.tif 000003
【図２】
2008043614.tif 000004
【図３】
2008043614.tif 000005
【図４】
2008043614.tif 000006
【図５】
2008043614.tif 000007
【図６】
2008043614.tif 000008
【図７】
2008043614.tif 000009
【図８】
2008043614.tif 000010
【図９】
2008043614.tif 000011
【図１０】
2008043614.tif 000012
【図１１】
2008043614.tif 000013